(57)【特許請求の範囲】
【請求項１】
屋上に形成されたドレンの周囲に設置され、前記ドレンに向けて下り勾配の傾斜面を有するドレン設置部を備えた屋上におけるドレン周辺部において、
前記ドレン設置部は、屋上の下地上に敷設され、前記ドレンを端縁部で取り囲むようにした外装材と、
これら外装材の端縁部に添設して、前記傾斜面を形成する傾斜端縁部材と、
を備え、
前記傾斜端縁部材は、断面略三角形状の薄板部材で構成され、前記外装材の端縁部と下地間に介装可能な底面部と、該底面部に対し隙間を開けて前記外装材の端縁部に当接する側面部と、前記傾斜面を構成する斜面部と、を備えたことを特徴とする屋上におけるドレン周辺部。
【請求項２】
前記ドレン設置部には接着によって敷設された第１の防水シートと、前記ドレン設置部周囲の外装材から前記傾斜端縁部材の傾斜面を介し接着によって敷設して、前記ドレン設置部上の第１の防水シートの周縁部に積層してなる第２の防水シートとを備えたことを特徴とする請求項１に記載の屋上におけるドレン周辺部。
【請求項３】
請求項１または２に記載の屋上におけるドレン周辺部の施工方法であって、
ドレン周囲の屋上の下地に敷設される前記外装材の端縁部に、端縁部に沿って前記傾斜端縁部材を配置して、ドレン設置部の傾斜面として形成する工程と、
前記ドレン設置部に第１の防水シートを積層する工程と
前記ドレン設置部周囲の外装材上面から、前記傾斜端縁部材を介してドレン設置部における第１の防水シートにかけて第２の防水シートを積層する工程と、
を具備することを特徴とする屋上におけるドレン周辺部の施工方法。
【請求項４】
前記ドレン設置部に第１の防水シートを積層する工程において、
前記第１の防水シートを前記ドレン設置部に接着によって固定することを特徴とする請求項３に記載の屋上におけるドレン周辺部の施工方法。
【請求項５】
前記傾斜端縁部材と第２の防水シートとは、熱風によって固定することを特徴とする請求項３に記載の屋上におけるドレン周辺部の施工方法。
【請求項６】
前記傾斜端縁部材と第２の防水シートとは、溶剤によって固定することを特徴とする請求項３に記載の屋上におけるドレン周辺部の施工方法。
【請求項７】
前記第１または第２の防水シートは塩化ビニールシートである、ことを特徴とする請求項３から６のいずれか１項に記載の屋上におけるドレン周辺部の施工方法。
【発明の詳細な説明】
【技術分野】
【０００１】
本発明は、屋上におけるドレン周辺部およびその施工方法に関し、特に、ドレン周りの段差をなくして、防水において要所であるドレン周りで水の滞留が生じないようにした、屋上におけるドレン周辺部およびその施工方法に関するものである。
【背景技術】
【０００２】
従来、屋上の防水対策として、特許文献１のように防水シートを平場の上面から立上り壁にかけて配置し、その防水シートの所定位置を固定部材のフランジに接合一体化し、良好な排水性を得ることができるシート防水構造が提案されている。
また、特許文献２においては、屋根床面と立上り壁とからなる隅部の防水処理と変形歪みの解消を図る、コンクリート構築物用防水枠体を開示している。
また、特許文献３においては、屋根面板部又はバルコニー床の水下部と内樋との間を防水フランジで封じる構成のものが開示されている。
【先行技術文献】
【特許文献】
【０００３】
【特許文献１】特開２００１−３２４６４号公報
【特許文献２】特開平５−１５６７５６号公報
【特許文献３】特開平７−３３１８１８号公報
【０００４】
さらに、図８から図１４に示されるように、断熱材と防水シートとを組み合わせて、下地に断熱防水処理を施したものとして、屋上の平場Ｆｐから端縁部の立ち上り壁Ｒｗに亘ってのドレン周辺部１に対し、周知の断熱材２（例えば硬質ウレタンフォーム）を積層し、さらに優れた防水性と意匠性とを兼ね備えた塩化ビニールシート３（塩化ビニル樹脂に可塑剤、充填剤等を添加し、補強繊維を積層したもの）を積層する構成としている。
ドレン周辺部１には、所定範囲、下地４を剥き出して、掘り込み形成されたドレン設置部５が形成され、このドレン設置部５の中心部には、ドレンＤが躯体を貫いて設けられ、この排水路にドレンホース（図示省略）が介装されている。
【０００５】
このようなドレン周辺部１においては、ドレン設置部５に向けて、断熱材２を切断して傾斜面６を形成し、その傾斜上端の断熱材２と、傾斜下端に接した下地４にビスＢなどの固定金具Ｐを取り付け、固定金具Ｐに塩化ビニールシート３を固定していた。
【発明の概要】
【発明が解決しようとする課題】
【０００６】
しかしながら、このような、固定金具Ｐに塩化ビニールシート３を固定する方法では、固定金具Ｐ高さの段差が生じるため、防水において要所であるドレンＤ周りに水が滞留する状態を招来し、円滑な排水の妨げとなる虞があった。
また、断熱材２の切断面は塩化ビニールシート３の未接着箇所を生み出す要因となり、塩化ビニールシート３の納まりが悪く、仕上がり全体の外観をも損ねる結果となっていた。
【０００７】
さらに上述の工法では、固定金具Ｐの取り付けにおいて、断熱材２を貫通するビスＢにて下地４に開けられた穴に固定しており、かかる固定用の穴を下地４に開けることにより下地４が損傷するおそれがある。
また、固定金具Ｐを下地４に取り付けるためには、下地４および断熱材２にドリルで穴を開ける穴あけ加工、並びにビスＢで固定するという締め付け作業を伴うものであるから、手間がかかり、工事全体の作業効率も悪く、コスト高の要因ともなる。
【０００８】
本発明は、以上のような課題を改善するために提案されたものであって、ドレン周辺部に対し、現場での加工することがないように、ドレン設置部への下り勾配の傾斜面を形成し、この傾斜面に対し、防水シートを貼り付けることで、防水シートと断熱材との未接着部分をなくすことで納まりを向上させ、ドレン周辺部での固定金具による段差をなくして水の滞留の発生を防止し、また、下地の穴あけ加工を不要として、下地の損傷のない、良好な施工効果を奏することができる、屋上におけるドレン周辺部およびその施工方法を提供することを目的とする。
【課題を解決するための手段】
【０００９】
上記課題を解決するために、請求項１記載の発明では、屋上に形成されたドレンの周囲に設置され、ドレンに向けて下り勾配の傾斜面を有するドレン設置部を備えた屋上におけるドレン周辺部において、ドレン設置部は、屋上の下地上に敷設され、ドレンを端縁部で取り囲むようにした外装材と、これら外装材の端縁部に添設して、傾斜面を形成する傾斜端縁部材と、を備え、前記傾斜端縁部材は、断面略三角形状の薄板部材で構成され、前記外装材の端縁部と下地間に介装可能な底面部と、該底面部に対し隙間を開けて前記外装材の端縁部に当接する側面部と、前記傾斜面を構成する斜面部と、を備えたことを特徴とする。
【００１０】
これにより、現場において、外装材の端縁部の切断加工などは不要であり、施工を容易化することができる。
【００１２】
これにより、傾斜端縁部材の底面部を外装材の端縁部と下地間に介装することで、ドレン設置部に向けて下り勾配の傾斜面を形成することができる。
【００１３】
請求項２に記載の発明では、ドレン設置部には接着によって敷設された第１の防水シートと、ドレン設置部周囲の外装材から傾斜端縁部材の傾斜面を介し接着によって敷設して、ドレン設置部上の第１防水シートの周縁部に積層してなる第２の防水シートとを備えたことを特徴とする。
【００１４】
これにより、固定具などは不要であり、ドレン設置部に向けての段差のない、下り勾配の傾斜面を形成することができる。
【００１５】
請求項３に記載の発明では、請求項１または２に記載の屋上におけるドレン周辺部の施工方法であって、ドレン周囲の屋上の下地に敷設される外装材の端縁部に、端縁部に沿って傾斜端縁部材を配置して、ドレン設置部の傾斜面として形成する工程と、ドレン設置部に第１の防水シートを積層する工程と、ドレン設置部周囲の外装材上面から、傾斜端縁部材を介してドレン設置部における第１の防水シートにかけて第２の防水シートを積層する工程と、を具備することを特徴とする。
【００１６】
これにより、現場にての切断加工や穴あけなどの加工は、一切不要であり、ビスなどの固定具は使用しないので、ドレン周辺部は段差のない、傾斜面として形成することができ、水の滞留などは起きることはなく、排水の妨げとなることはない。
【００１７】
請求項４記載の発明では、ドレン設置部に第１の防水シートを積層する工程において、第１の防水シートをドレン設置部に接着によって固定することを特徴とする。
【００１８】
これにより、現場にて、一切、切断加工や穴あけなどの加工は不要となる。
【００１９】
請求項５記載の発明では、傾斜端縁部材と第２の防水シートとは、熱風によって固定することを特徴とする。
【００２０】
これにより、傾斜端縁部材と第２防水シートとは、熱風により第２防水シートが傾斜端縁部材表面へ熱融着することによって、満遍なく一様に接触全面を一体化結合することができる。
【００２１】
請求項６に記載の発明では、傾斜端縁部材と第２の防水シートとは、溶剤によって固定することを特徴とする。
【００２２】
これにより、傾斜端縁部材と第２防水シートとは、満遍なく一様に接触全面を一体化結合することができる。
【００２３】
さらに請求項７に記載の発明では、第１または第２の防水シートは塩化ビニールシートである、ことを特徴とする。
【００２４】
これにより、ドレン周辺部は、優れた防水性と意匠性をも兼ね備えたものとすることができる。
【発明の効果】
【００２５】
本発明によれば、屋上のドレン周辺部において、外装材の端縁部に傾斜端縁部材を配設することによって、傾斜面を構成することができるので、作業現場において外装材を切断加工し、傾斜面を形成する必要がない。
また、防水シートの固定は、傾斜端縁部材の傾斜面で行うため、防水シートの未接着部分がなくなり、納まりが向上する。
また、ドレン周辺部で、固定のための金具は不要であり、段差が生ずることはなく、ドレン周囲での水の滞留が生ずることはない。
さらには、下地の穴あけ加工は不要であるので、下地が損傷することはなく、良好な施工効率を実現することができ、水滞留のない、ドレン周辺部を構成することができる。
【図面の簡単な説明】
【００２６】
【図１】本発明にかかる屋上におけるドレン周辺部の斜視説明図である。
【図２】図１に示すドレン周辺部の、模式的な断面図である。
【図３】図１に示すドレン周辺部の、平面説明図である。
【図４】図１に示すドレン周辺部において、下り勾配の傾斜面で構成された傾斜部を構成する傾斜端縁部材の配置図である。
【図５】図１に示すドレン周辺部に対し、第１、第２防水シートを接着した状態を示した、模式的な断面説明図である。
【図６】図５に示すドレン周辺部の、平面説明図である。
【図７】本発明にかかる屋上におけるドレン周辺部の施工方法による、納まり例を示した、模式的な断面図である。
【図８】従来の屋上におけるドレン周辺部を施工する工程を示した、模式的な断面図である。
【図９】図８に示す工程図の、平面説明図である。
【図１０】図８に示すドレン周辺部のドレン設置部に対し、防水シートを接着する工程を示した、模式的な断面説明図である。
【図１１】図１０に示す工程図の、平面説明図である。
【図１２】図１０に示すドレン周辺部のドレン設置部に向けて、防水シートを接着する工程を示した、模式的な断面説明図である。
【図１３】図１２に示す工程図の、平面説明図である。
【図１４】従来の屋上におけるドレン周辺部の施工方法による、納まり例を示した、模式的な断面図である。
【発明を実施するための形態】
【００２７】
図１に、本発明にかかるドレン周辺部の施工方法によって施工される、屋上におけるドレン周辺部１０を模式的に示す。なお、ここでの屋上は、平場Ｆｐとして下地１１に外装材として、周知の断熱材１２（例えば硬質ウレタンフォーム）を積層し、さらに防水シート（後述）を積層する構成としている。
ドレン周辺部１０は、屋上の平場Ｆｐから端縁部の立ち上り壁Ｒｗに亘っての基部箇所の所定の位置に設けられ、所定範囲、下地１１を剥き出して、掘り込み形成されたドレン設置部１３が形成されている。ドレン設置部１３には、ドレン設置部１３の下地１１に向けて下り勾配の傾斜面で構成された傾斜部１４を有している。
そしてこのドレン設置部１３の中心部には、ドレンＤが躯体を貫いて設けられ、この排水路に例えば塩化ビニル樹脂製のドレンホースＤｈが介装されている。
【００２８】
断熱材１２は、屋上下地１１に接着材によって貼り付けられ、ドレン周辺部１０の平場Ｆｐ側において、ドレン設置部１３の下地１１を三方から垂直端縁部で取り囲むように配置されている。
そして、かかる三方からの断熱材１２の垂直端縁部に向かって、傾斜部１４を構成する傾斜端縁部材１５が配置されている（図４参照）。
【００２９】
傾斜端縁部材１５は、薄鋼板を例えば金切りばさみ等で切断して、断面略三角形状に折り曲げ加工されたものである。すなわち、傾斜端縁部材１５は、断熱材１２の端縁部と下地１１間に介装可能な底面部１５ａと、該底面部１５ａに対し隙間を開けて断熱材１２の端縁部に当接する側面部１５ｂと、傾斜面を構成する斜面部１５ｃと、を備えている。底面部１５ａは、安定性と強度確保のために、表面積を斜面部１５ｃのそれと比較して大としており、断熱材１２の端縁部に向かって配置する際、先端側を下地１１と断熱材１２間に略半分ほど介装させるようにしている。
また、傾斜端縁部材１５の高さ寸法、すなわち、断熱材１２の端縁部に当接する側面部１５ｂの頂部の高さ寸法は、断熱材１２の厚さと略同一としている。
さらに、斜面部１５ｃの傾斜角度はおおむね４５度としている。しかしながら、傾斜角度を調整することで、現場での断熱材１２の厚さに、側面部１５ｂの頂部の高さ寸法を合わせることができるようにしている。
【００３０】
以上のようなドレン周辺部１０には、図５に示すように、ドレン設置部１３に防水シート１６が積層される。防水シート１６には、優れた防水性と意匠性をも兼ね備えた、例えば第１の塩化ビニールシート１６（以下、第１塩ビシート１６）が好ましい。第１塩ビシート１６は、塩化ビニル樹脂に可塑剤、充填剤等を添加し、補強繊維を積層したもので構成される。防水シート１６は、塩化ビニールシートに限定されるものではなく、他には熱可塑性エラストマー系シート、熱可塑性ポリオレフィン系シート、熱可塑性ポリエーテル系ポリウレタンシート、エチレン酢酸ビニル樹脂系シートも用いることができる。
さらに、ドレン周辺部１０には、周囲の断熱材１２から傾斜部１４を介し、ドレン設置部１３上の第１塩ビシート１６に接着によって第２の塩ビシート１７が積層される。この場合、第２塩ビシート１７は、接着材として好ましくはアクリロニトリルブタジエンゴムが用いられるが、他にはエポキシ系、アクリル系、シリコン系、変性シリコン系、ポリサルファイド系、ポリウレタン系などの接着材により接着固定するようにしている。
【００３１】
次に、以上説明したドレン周辺部１０を施工するために、次のような工程で施工される。以下、図を参照しながら説明する。
躯体として完成した、施工現場である屋上に対し、防水処理を施すと共に、すでに躯体側に組み込まれたドレンＤを中心とするドレン設置部１３に対し、雨水の滞留を防止して良好に排水がなされるように施工を行う。
すなわち、施工図に基づいて、ドレン設置部１３は、所定範囲、下地１１を剥き出してある。
先ず、ドレン設置部１３に対しては、屋上の平場Ｆｐから端縁部の立ち上り壁Ｒｗに亘る所定の位置のうち、平場Ｆｐ側の下地１１を残して、屋上下地１１全体に所定厚さの断熱材１２である硬質ウレタンフォームを接着材によって貼り付ける工程を実行する。
これによりドレン設置部１３の周囲は、三方を断熱材１２の垂直端縁部で取り囲んだ状態となる。
【００３２】
次に、かかる三方の断熱材１２の垂直端縁部に対し、端縁部に沿って対応する傾斜端縁部材１５をそれぞれ配置して、ドレン周辺部１０の傾斜部１４として形成する工程を行う。
この工程において、傾斜端縁部材１５の接地面積の大な底面部１５ａを、断熱材１２の端縁部と下地１１間に介装するようにする。これにより、底面部１５ａに対し隙間を開けて形成された側面部１５ｂが断熱材１２の端縁部に当接し、斜面部１５ｃがドレン周辺部１０の傾斜部１４として形成される。底面部１５ａは、表面積を斜面部１５ｃのそれと比較して大としており、断熱材１２の端縁部に向かって配置する際、底面部１５ａの先端側が下地１１と断熱材１２間に略半分ほど介装されるので、ドレン周辺部１０の傾斜部１４は安定性も強度上も、問題のないものとすることができる。
なお、傾斜端縁部材１５の高さ寸法、すなわち、断熱材１２の端縁部に当接する側面部１５ｂの頂部の高さ寸法は、断熱材１２の厚さと略同一としているので、断熱材１２の端縁部から、傾斜端縁部材１５の斜面部１５ｃにかけて、連続的な段差のないものとすることができる。
もし、現場での接着層の厚さが加わることで断熱材１２の厚さ（高さ）にばらつきが生じたことに起因して、段差ができるようであったら、側面部１５ｂの頂部の高さ寸法を、適宜な工具で、斜面部１５ｃおよび側面部１５ｂに対し、外力を加えて、斜面部１５ｃの傾斜角度を調整することで段差を解消することができる。
【００３３】
次に、ドレン設置部１３に対し、第１塩ビシート１６を適宜な接着材を用いてドレン設置部１３に積層する工程を行う。
そして、ドレン周辺部１０には、周囲の断熱材１２から傾斜部１４を介し、ドレン設置部１３上の第１塩ビシート１６に接着によって第２塩ビシート１７が積層されることで一応の施工が完了する。この場合、周囲の断熱材１２には接着材としてアクリロニトリルブタジエンゴムが塗布され、断熱材１２から傾斜部１４、第１塩ビシート１６にかけて未接着部分なく、第２塩ビシート１７を接着固定することができる。
【００３４】
このように、本発明のドレン周辺部への施工においては、断熱材に対して、傾斜部を形成するための傾斜端縁部材を用いたことで、現場において、これまでのような断熱材の切断によって傾斜面を形成するような施工工程は不要となる。
【００３５】
また、断熱材を固定するためにビス等の固定金具を用いることがないので、固定金具による段差の発生はなく、ドレン周りで円滑な排水の妨げとなる水の滞留が生じることはない。
【００３６】
さらには、断熱材を固定するためのビス等の固定金具は不要であるので、下地にビス穴を開ける必要はなく、下地の損傷をなくすことができ、穴あけなどの作業を省くことができ、作業工程の簡便化、工期の短縮化につながる。
【符号の説明】
【００３７】
１０    ドレン周辺部
１１    下地
１２    断熱材
１３    ドレン設置部
１４    傾斜部
１５    傾斜端縁部材
１５ａ    底面部
１５ｂ    側面部
１５ｃ    斜面部
１６    第１塩ビシート
１７    第２塩ビシート
Ｆｐ    平場
Ｒｗ    立ち上り壁
Ｄｈ    ドレンホース
【図１】
0005586389.tif 000002
【図２】
0005586389.tif 000003
【図３】
0005586389.tif 000004
【図４】
0005586389.tif 000005
【図５】
0005586389.tif 000006
【図６】
0005586389.tif 000007
【図７】
0005586389.tif 000008
【図８】
0005586389.tif 000009
【図９】
0005586389.tif 000010
【図１０】
0005586389.tif 000011
【図１１】
0005586389.tif 000012
【図１２】
0005586389.tif 000013
【図１３】
0005586389.tif 000014
【図１４】
0005586389.tif 000015